(57)【要約】【課題】回収した紙幣および硬貨の運搬を容易に行えるような回収容器を備えた紙幣入出金装置の提供。【解決手段】紙幣回収カセットＧは、装置の筐体１０に対して着脱自在に取り付けられている。この回収カセットＧは、金種別収納部Ｂ，Ｃ，Ｄから回収した回収紙幣を収納する回収紙幣収納部Ｇ１と、この回収紙幣収納部Ｇ１と区画されて外部から投入された硬貨を収納可能な硬貨収納部Ｇ２とを有している。回収紙幣収納部Ｇ１に回収紙幣を収納した回収カセットＧを筐体１０から取り外し、硬貨入出金装置等から別途回収したバラの硬貨を硬貨収納部Ｇ２に投入することで、それらの紙幣と硬貨とを１つの回収カセットＧで一体的に持ち運ぶことができる。【選択図】  図１
2004302503.tif 000002
【特許請求の範囲】
【請求項１】
入金紙幣を導入する紙幣導入部と、
前記入金紙幣を金種別に収納する金種別収納部と、
この金種別収納部から取り出された出金紙幣を放出する紙幣放出部と、
前記金種別収納部から回収した回収紙幣を収納するための回収容器と
前記紙幣導入部、前記紙幣放出部および前記回収容器と前記金種別収納部との間で紙幣を搬送する搬送手段と、
前記導入部、前記金種別収納部、前記放出部、前記回収容器および前記搬送手段を収容する筐体と
を備え、
前記回収容器は、前記筐体に対して着脱自在に取り付けられると共に、前記回収紙幣を収納する回収紙幣収納部と、この回収紙幣収納部と区画されて外部から投入された硬貨を収納可能な硬貨収納部とを有する、ことを特徴とする紙幣入出金装置。
【請求項２】
前記回収容器は、前記回収紙幣収納部と前記硬貨収納部とが互いに着脱可能に構成されている、ことを特徴とする請求項１記載の紙幣入出金装置。
【発明の詳細な説明】
【０００１】
【発明の属する技術分野】
本発明は、例えば硬貨釣銭機と並設される紙幣釣銭機として用いられるような紙幣入出金装置に係り、特に内部に収納した紙幣を回収するための着脱式の回収容器を備えた紙幣入出金装置に関する。
【０００２】
【従来の技術】
例えば、特開２０００−１３２７２７号公報（特許文献１）には、釣銭機としての機能を有する金銭処理装置が記載されている。この金銭処理装置には、装置内部に収納された貨幣を回収するための回収金庫が付設されている。この回収金庫は、その本体に対してそれぞれ着脱自在に取り付けられた紙幣カセットおよび硬貨カセットを有している。
【０００３】
また、従来一般に用いられているような硬貨釣銭機と紙幣釣銭機との組み合わせでは、紙幣釣銭機だけに紙幣回収カセットが設けられ、硬貨釣銭機は回収硬貨を取出口にバラで投出するように構成されている。
【０００４】
【特許文献１】
特開２０００−１３２７２７号公報
【０００５】
【発明が解決しようとする課題】
上述したような従来の技術には、次のような問題点がある。すなわち、前者の特許文献１に記載のものでは、回収した貨幣を運搬する際、紙幣カセットと硬貨カセットとをそれぞれ持ち運ぶ必要があるため、運搬しづらく、使い勝手が悪いという問題がある。また、後者のものでは、紙幣回収カセットと共に回収したバラの硬貨を持ち運ぶ必要があるため、やはり運搬しづらく、使い勝手が悪いという問題がある。
【０００６】
本発明は、このような点を考慮してなされたものであり、回収した紙幣および硬貨の運搬を容易に行えるような回収容器を備えた紙幣入出金装置を提供することを目的とする。
【０００７】
【課題を解決するための手段】
第１の発明は、入金紙幣を導入する紙幣導入部と、前記入金紙幣を金種別に収納する金種別収納部と、この金種別収納部から取り出された出金紙幣を放出する紙幣放出部と、前記金種別収納部から回収した回収紙幣を収納するための回収容器と前記紙幣導入部、前記紙幣放出部および前記回収容器と前記金種別収納部との間で紙幣を搬送する搬送手段と、前記導入部、前記金種別収納部、前記放出部、前記回収容器および前記搬送手段を収容する筐体とを備え、前記回収容器は、前記筐体に対して着脱自在に取り付けられると共に、前記回収紙幣を収納する回収紙幣収納部と、この回収紙幣収納部と区画されて外部から投入された硬貨を収納可能な硬貨収納部とを有する、ことを特徴とする紙幣入出金装置である。
【０００８】
この第１の発明によれば、回収紙幣収納部に回収紙幣を収納した回収容器を筐体から取り外し、別途回収したバラの硬貨を硬貨収納部に投入することで、それらの紙幣と硬貨とを１つの回収容器で一体的に持ち運ぶことができる。
【０００９】
第２の発明は、第１の発明において、前記回収容器は、前記回収紙幣収納部と前記硬貨収納部とが互いに着脱可能に構成されているものである。
【００１０】
この第２の発明によれば、必要に応じて回収紙幣収納部から硬貨収納部を分離することで、例えば硬貨収納部からの硬貨等の取り出し作業を容易にするなどの使い勝手の向上を図ることができる。また、使用条件等に応じて硬貨収納部だけを容量の異なるもの等に交換することも容易となる。
【００１１】
なお、硬貨収納部には、硬貨以外にも、回収金額等を記録した紙片その等の記録媒体を収納して一緒に持ち運ぶことも可能である。
【００１２】
【発明の実施の形態】
次に、図面を参照して本発明の一実施形態について説明する。図１および図２は本発明による紙幣入出金装置の実施の形態を示す図である。また、図３は後述する硬貨入出金装置の例を模式的に示すブロック図であり、図４は、これらの紙幣入出金装置および硬貨入出金装置を組み合わせた状態の外観で示す斜視図である。
【００１３】
図１に示す本実施形態の紙幣入出金装置１Ｂは、例えば図４に示すように硬貨入出金装置１Ａと組み合わされた状態で貨幣入出金システムに用いられる。その貨幣入出金システムとしては、他に図示しないＰＯＳレジスター（販売時点管理機能を有する金銭登録機）等が組み合わされ、硬貨入出金装置１Ａおよび紙幣入出金装置１Ｂがそれぞれ硬貨釣銭機および紙幣釣銭機として利用される。
【００１４】
釣銭機は、必要に応じて、顧客からの預かり貨幣（紙幣および硬貨）の入金と釣銭貨幣の出金とを行うためのものである。すなわち、釣銭機としての硬貨入出金装置１Ａおよび紙幣入出金装置１Ｂは、ＰＯＳレジスター等との連携において、必要に応じて、顧客からの預かり貨幣の入金と釣銭貨幣の出金とを行うように構成されている。
【００１５】
［紙幣入出金装置の構成］
図１に示すように、本実施形態の紙幣入出金装置は、筐体１０内の略中央部に軸線を垂直にして配置された搬送ドラム１と、この搬送ドラム１を回転駆動するモータ２とを備えている。また、筐体１０内には、入金紙幣繰込ユニット（紙幣導入部）Ａ、金種別収納部Ｂ，Ｃ，Ｄ、出金紙幣放出ユニット（紙幣放出部）Ｅ、出金リジェクト部Ｆおよび紙幣回収カセット（紙幣回収容器）Ｇが、搬送ドラム１の外周を取り囲むようにして配置されている。そのうち、繰込ユニットＡ、放出ユニットＥ、出金リジェクト部Ｆおよび紙幣回収カセットＧは筐体１０の前面側に配置され、各収納部Ｂ，Ｃ，Ｄは筐体１０の後面側に配置されている。
【００１６】
図１および図４に示すように、筐体１０の前面には、繰込ユニットＡに対応した入金口１２と、放出ユニットＥに対応した出金口１４とが設けられている。また、筐体１０の前面には、後述する紙幣回収カセットＧの前面パネルが露出している。紙幣回収カセットＧは、筐体１０に対して着脱自在に取り付けられている。この紙幣回収カセットＧの取り外しは、解錠操作を行った上で筐体１０から前方へ引き出すようにして行われる。
【００１７】
図１において、繰込ユニットＡは、入金口１２に挿入された入金紙幣を導入して、それらの紙幣を搬送ドラム１側へ繰り出すためのものである。また、各収納部Ｂ，Ｃ，Ｄは、入金紙幣を金種別に収納するためのものであり、通常は千円札収納部Ｂ、２千円／５千円札（混合）収納部Ｃおよび万円札収納部Ｄとして用いられる。そして、放出ユニットＥは、各収納部Ｂ，Ｃ，Ｄから取り出された出金紙幣を放出し、それらの紙幣を出金口１４からの抜き取りに供するためのものである。
【００１８】
出金リジェクト部Ｆは、後述する「出金リジェクト紙幣」を収納するためのものである。また、回収カセットＧは、各収納部Ｂ，Ｃ，Ｄから回収した紙幣を収納するためのものである。この回収カセットＧは、いずれかの収納部Ｂ，Ｃ，Ｄが満杯で対応する入金紙幣を収納できない場合に、その入金紙幣を収納するためにも用いられる。なお、上記放出ユニットＥは、後述する「入金リジェクト紙幣」が放出される入金リジェクト部をも兼ねている。
【００１９】
以上の繰込ユニットＡ、各収納部Ｂ，Ｃ，Ｄ、放出ユニットＥおよび出金リジェクト部Ｆの内部構成としては周知ないし公知のものを用いることができるので、詳細な説明は省略する。また、紙幣回収カセットＧの詳細な構成については後述する。
【００２０】
搬送ドラム１の外周には、環状を成す紙幣の周回搬送路４が形成されている。また、繰込ユニットＡ、各収納部Ｂ，Ｃ，Ｄ、放出ユニットＥ、出金リジェクト部Ｆおよび回収カセットＧと周回搬送路４との間をそれぞれ接続する紙幣の接続搬送路６ａ〜６ｇが形成されている。これらの搬送路４，６ａ〜６ｇは、搬送ドラム１の周囲に設けられたガイド板８によって（周回搬送路４については搬送ドラム１外周面との間で）形成されている。また、搬送ドラム１の外周面に対して弾性的に押圧される複数の押圧ローラ３が、搬送ドラム１の周方向に間隔を置いて配置されている。
【００２１】
周回搬送路４の右側部分には、そこを通過する紙幣の金種を識別するための識別センサ５が設けられている。この識別センサ５は、例えば光学センサとして構成され、互いに周回搬送路４を挟んで対向配置される２つのセンサ部品５ａ，５ｂを有している。なお、接続搬送路６ｅおよび６ｆが接続される放出ユニットＥおよび出金リジェクト部Ｆの入口部分には、紙幣の集積を補助するためのゴム羽根車９がそれぞれ設けられている。
【００２２】
次に、周回搬送路４と各接続搬送路６ａ〜６ｇとの間で紙幣の搬送経路を切り換える経路切換手段７ａ〜７ｇが、周回搬送路４に沿って配置されている。これらの切換手段７ａ〜７ｇの構成態様は、接続搬送路６ａ〜６ｄ，６ｆ，６ｇに対応する揺動式のガイド部材７ａ〜７ｄ，７ｆ，７ｇと、接続搬送路６ｅに対応する並進移動式のガイド部材７ｅとに分けられる。なお、接続搬送路６ｆは周回搬送路４に直接接続されているわけではなく、接続搬送路６ａを介して接続されている。従って、揺動ガイド部材７ｆによる周回搬送路４から接続搬送路６ｆへの搬送経路の切り換えは、揺動ガイド部材７ａとの連携においてなされることになる。
【００２３】
ここで図２に示すように、紙幣回収カセットＧは、金種別収納部Ｂ，Ｃ，Ｄから回収した回収紙幣を収納する回収紙幣収納部Ｇ１と、この回収紙幣収納部Ｇ１と区画されて外部から投入された硬貨を収納可能な硬貨収納部Ｇ２とを有している。
【００２４】
回収紙幣収納部Ｇ１は、箱状の本体ｇ１０と、この本体ｇ１０の前面に設けられた前面パネルｇ１２とを有している。この前面パネルｇ１２は、紙幣入出金装置１Ｂへの取付時（図４参照）にその前面の一部を構成する。また、前面パネルｇ１２は、硬貨収納部Ｇ２の前面をも覆うように、本体ｇ１０よりも右側へ突出している。なお、図１に示すように、回収紙幣収納部Ｇ１（本体ｇ１０）の後部には、紙幣の導入を補助するための導入機構ｇ１４が内蔵されている。
【００２５】
図２に示すように、硬貨収納部Ｇ２は、回収紙幣収納部Ｇ１に対して嵌合等によって着脱可能に取り付けられている。この硬貨収納部Ｇ２は、硬貨を収納する箱状の本体ｇ２０と、この本体ｇ２０の上面に形成された硬貨投入口ｇ２２とを有している。この投入口ｇ２２は、図示するような単純なスロット状のものに代えて、硬貨の投入を容易にするような漏斗状のものにしてもよい。硬貨収納部Ｇ２は、その他、本体ｇ２０の底面等に形成された開閉式の硬貨取出口（図示せず）を有している。
【００２６】
［硬貨入出金装置の構成］
次に、本実施形態の紙幣入出金装置１Ｂと組み合わせて用いられる硬貨入出金装置１Ａの構成の一例について、図３および図４を参照して簡単に説明する。図４に示すように、硬貨入出金装置１Ａは、前部上面に操作パネル１１２（図４）を有する筐体１１０を備えている。図３および図４に示す筐体１１０の前部には、硬貨受入口１１４および硬貨取出口１１６が設けられている。
【００２７】
また、図３に示すように、受入口１４から受け入れた硬貨を一層一列状態で繰り入れるための繰入機構１０２が備えられている。繰入機構１０２の後方には、この繰入機構１０２によって繰り入れられた硬貨を搬送する硬貨搬送路１０３が延びている。この搬送路１０３の途中には、硬貨の金種等を識別する識別センサＤと、この識別センサＤによって正常でないと判別されたリジェクト硬貨を排出するための排出部１０９とが設けられている。硬貨搬送路１０３の下流側には、硬貨を金種によって選別する金種選別部１０５が設けられている。
【００２８】
また、選別部１０５によって選別された硬貨を金種別に収納する金種別収納部１０６と、この金種別収納部１０６に収納された硬貨を選択的に繰り出す硬貨繰出機構１０８とが備えられている。硬貨繰出機構１０８によって繰り出された硬貨は、取出口１１６に投出されるようになっている。金種別収納部６から回収した回収硬貨も、同様に取出口１１６に投出されるようになっている。
【００２９】
［動  作］
次に、本実施形態の紙幣入出金装置の動作について、図１を参照して簡単に説明する。
【００３０】
（１）入金動作
入金口１２から挿入された入金紙幣は、入金紙幣繰込ユニットＡから接続搬送路６ａを通じて周回搬送路４へ（公知の分離繰出し機構によって）１枚ずつ繰り出される。周回搬送路４へ繰り出された紙幣は、搬送ドラム１と押圧ローラ３と間で挟持された状態で、搬送ドラム１の反時計回りの回転に従って周回搬送路４に沿って搬送される。
【００３１】
周回搬送路４を搬送される紙幣は、１周する間に識別センサ５によって金種を識別され、対応する金種の収納部Ｂ，Ｃ，Ｄに収納される。各収納部Ｂ，Ｃ，Ｄへの入金紙幣の収納は、対応するガイド部材７ｂ，７ｃ，７ｄによる周回搬送路４から各接続搬送路６ｂ，６ｃ，６ｄへの搬送経路の切り換え動作によって行われる。
【００３２】
（２）出金動作
紙幣釣銭機としての紙幣入出金装置は、出金すべき釣銭の額に応じて以下に例示するような出金動作を行う。なお、釣銭紙幣の出金動作に関連するのは、万円札収納部Ｄを除いた、千円札収納部Ｂと２千円／５千円札収納部Ｃのいずれかである。
【００３３】
（２−１）釣銭額３千円の場合
この場合、千円札収納部Ｂから繰り出された３枚の千円札が、接続搬送路６ｂを通じて周回搬送路４へ（公知の分離繰出し機構によって）１枚ずつ繰り出される。周回搬送路４へ繰り出された紙幣は、搬送ドラム１の時計回りの回転に従って周回搬送路４に沿って搬送され、ガイド部材７ｅによる周回搬送路４から接続搬送路６ｅへの搬送経路の切り換え動作によって、出金紙幣放出ユニットＥへ送り込まれる。放出ユニットＥは、３枚の千円札が送り込まれた時点で、それらの紙幣を（公知の機構によって）束の状態で出金口１４から突出させるように放出する。
【００３４】
なお、千円札収納部Ｂには千円札しか収納されていないので、この場合は出金紙幣を周回搬送路４で１周以上させて金種識別を行う必要はない。
【００３５】
（２−２）釣銭額７千円の場合
この場合、まず２千円／５千円札収納部Ｃから最初の紙幣１枚だけが繰り出され、周回搬送路４に沿って時計回りに搬送される。この紙幣は、周回搬送路４を１周以上する間に識別センサ５による金種識別を受けた上で、上記（２−１）の場合と同様にして放出ユニットＥへ送り込まれる。
【００３６】
最初の紙幣の金種が５千円であった場合は、残りの２千円分として千円札収納部Ｂから千円札が２枚繰り出され、上記（２−１）の場合と同様、金種識別を経ることなく放出ユニットＥへ送り込まれる。
【００３７】
次に、最初の紙幣の金種が２千円であった場合は、２千円／５千円札収納部Ｃから２番目の紙幣１枚だけが繰り出され、周回搬送路４で金種識別を受ける。この２番目の紙幣の金種が５千円であった場合は、その５千円札が放出ユニットＥへ送り込まれた時点で出金動作が完了する。一方、２番目の紙幣の金種が２千円であった場合は、この２千円札が放出ユニットＥへ送り込まれると共に、残りの３千円分として千円札収納部Ｂから千円札が３枚繰り出され、金種識別を経ることなく放出ユニットＥへ送り込まれる。
【００３８】
（３）回収動作
例えば、１日の営業が終了して、収納部Ｂ，Ｃ，Ｄ内の紙幣を全て、或いは売上金相当額だけ回収したい場合等には、収納部Ｂ，Ｃ，Ｄから繰り出された紙幣が順次、周回搬送路４から接続搬送路６ｇを通じて紙幣回収カセットＧに収納される。なお、いずれかの収納部Ｂ，Ｃ，Ｄが満杯であるにも拘わらず、対応する金種の紙幣が更に入金された場合、当該入金紙幣は、周回搬送路４から接続搬送路６ｇを通じて紙幣回収カセットＧに収納される。
【００３９】
（４）リジェクト動作
入金紙幣の中に汚損等により識別センサ５による金種識別のできない紙幣があった場合、その紙幣は「入金リジェクト紙幣」として、周回搬送路４から接続搬送路６ｅを通じて紙幣放出ユニットＥへ送り込まれる。また、出金紙幣の中に斜行等により識別センサ５による金種識別のできない紙幣があった場合、その紙幣は「出金リジェクト紙幣」として、周回搬送路４から接続搬送路６ｆを通じて出金リジェクト部Ｆへ送り込まれる。
【００４０】
［作用効果］
以上のように構成された本実施形態の紙幣入出金装置によれば、回収紙幣収納部Ｇ１に回収紙幣を収納した回収カセットＧを筐体１０から取り外し、硬貨入出金装置１Ａ等から別途回収したバラの硬貨を硬貨収納部Ｇ２に投入することで、それらの紙幣と硬貨とを１つの回収カセットＧで一体的に持ち運ぶことができる。このため、回収した紙幣および硬貨の運搬を容易に行うことができる。
【００４１】
なお、硬貨収納部Ｇ２には、硬貨以外にも、回収金額等を記録した紙片（ジャーナル）その等の記録媒体（メモリカード等）を収納して一緒に持ち運ぶことも可能である。
【００４２】
また、必要に応じて回収紙幣収納部Ｇ１から硬貨収納部Ｇ２を分離することで、例えば硬貨収納部Ｇ２からの硬貨等の取り出し作業を容易にするなどの使い勝手の向上を図ることができる。また、使用条件等に応じて硬貨収納部Ｇ２だけを容量の異なるもの等に交換することも容易となる。
【００４３】
例えば、硬貨入出金装置１Ａおよび紙幣入出金装置１Ｂから売上相当金額を回収する際に、硬貨の枚数が最小限になるようにすることで、回収される硬貨は最大で９９９円分となる。その場合は、最大で９９９円分の硬貨を収納可能な、比較的小さな容量の硬貨収納部Ｇ２を用いることができる。
【００４４】
［変形例］
なお、本実施形態において、日本国通貨としての千円、２千円、５千円および万円札を入出金対象とする場合について説明したが、入出金対象とする紙幣の金種は、外国通貨も含めて任意に設定可能である。また、金種別収納部の数も必要に応じて任意に設定することができる。例えば２千円札収納部と５千円札収納部とを別個に設けることも可能であり、その場合は、上記のような出金時の金種識別も不要となる。
【００４５】
【発明の効果】
本発明によれば、回収紙幣収納部に回収紙幣を収納した回収容器を筐体から取り外し、別途回収したバラの硬貨を硬貨収納部に投入することで、それらの紙幣と硬貨とを１つの回収容器で一体的に持ち運ぶことができる。このため、回収した紙幣および硬貨の運搬を容易に行うことができる。
【図面の簡単な説明】
【図１】本発明による紙幣入出金装置の一実施形態を示す水平断面図。
【図２】図１に示す紙幣入出金装置における紙幣回収容器の斜視図。
【図３】図１に示した紙幣入出金装置と組み合わせて用いられる硬貨入出金装置の例を模式的に示すブロック図。
【図４】図１に示した紙幣入出金装置を、図３に示した硬貨入出金装置と組み合わされた状態の外観で示す斜視図。
【符号の説明】
１Ｂ  紙幣入出金装置（紙幣釣銭機）
Ａ  入金紙幣繰込ユニット（紙幣導入部）
Ｂ  千円札収納部（金種別収納部）
Ｃ  ２千円／５千円札収納部（金種別収納部）
Ｄ  万円札収納部（金種別収納部）
Ｅ  出金紙幣放出ユニット（紙幣放出部）
Ｆ  出金リジェクト部
Ｇ  紙幣回収カセット（紙幣回収容器）
Ｇ１  回収紙幣収納部
ｇ１０  本体
ｇ１２  前面パネル
Ｇ２  硬貨収納部
ｇ２０  本体
ｇ２２  硬貨投入口
１  搬送ドラム（搬送手段）
２  駆動モータ
３  押圧ローラ（搬送手段）
４  周回搬送路（搬送手段）
５  識別センサ
６ａ〜６ｇ  接続搬送路（搬送手段）
７ａ〜７ｇ  ガイド部材
８  ガイド板
１０  筐体
１２  入金口
１４  出金口
１Ａ  硬貨入出金装置（硬貨釣銭機）
１０６  金種別収納部
１１６  硬貨取出口
【図１】
2004302503.tif 000003
【図２】
2004302503.tif 000004
【図３】
2004302503.tif 000005
【図４】
2004302503.tif 000006